(57)【要約】【課題】飼料運搬車において、簡単な構成で添加物の逆流を防いで確実に添加物を飼料に添加できるようにする。【解決手段】飼料収容タンク５と、飼料収容タンク５の底部に回転可能に設けられ、飼料収容タンク５の内部の飼料を後方に搬送するボトムスクリュ７と、飼料収容タンク５の後方に設けられ、ボトムスクリュ７により搬送された飼料を上方に搬送する垂直搬送部１０とを備えた飼料運搬車１において、ボトムスクリュ７の飼料収容タンク５の後端から突出する突出部１４を囲む円筒部１４ａにフィーダチューブ２０ｂの先端を接続し、そのフィーダチューブ２０ｂの先端における円筒部１４ａの上流側に円筒部１４ａの内面から内方に突出した添加領域形成部２０ｃを形成する。【選択図】図６Ａ
2018090192.tif 000002
【特許請求の範囲】
【請求項１】
飼料収容タンクと、
上記飼料収容タンクの底部に回転可能に設けられ、該飼料収容タンクの内部の飼料を後方に搬送するボトムスクリュと、
上記飼料収容タンクの後方に設けられ、上記ボトムスクリュにより搬送されてきた飼料を上方に搬送するバーティカルスクリュを内蔵する垂直搬送部とを備えた飼料運搬車であって、
上記ボトムスクリュが搬送してきた上記飼料を上記バーティカルスクリュへ送り出す合流部の手前には、上記飼料に添加する添加物を添加するスクリュフィーダ部が設けられ、
上記スクリュフィーダ部は、添加物用スクリュと、該添加物用スクリュを囲むフィーダチューブとを備え、
上記ボトムスクリュは、上記飼料収容タンクの後端から突出する突出部を有し、該突出部を囲む円筒部に上記フィーダチューブの先端が接続されており、
上記フィーダチューブの先端における上記円筒部の上流側には、該円筒部の内面から内方に突出した添加領域形成部が形成されている
ことを特徴とする飼料運搬車。
【請求項２】
請求項１に記載の飼料運搬車において、
上記添加物用スクリュの先端は、上記円筒部の内面から
内方に突出しており、
上記添加物用スクリュの突出高さは、上記フィーダチューブの突出高さ以下である
ことを特徴とする飼料運搬車。
【発明の詳細な説明】
【技術分野】
【０００１】
本発明は、例えばトウモロコシ・麦・マイロ等を混合した家畜の飼料等の粉粒体物を運搬する飼料運搬車に関し、特に飼料に添加物を添加する構造に関する。
【背景技術】
【０００２】
従来より、飼料収容タンクと、この飼料収容タンクの底部に回転可能に設けられ、この飼料収容タンクの内部の飼料を後方に搬送するボトムスクリュと、この飼料収容タンクの後方に設けられ、上記ボトムスクリュにより搬送された飼料を上方に搬送するバーティカルスクリュを内蔵する垂直搬送部とを備えた飼料運搬車は知られている（例えば、特許文献１参照）。この飼料運搬車では、垂直搬送部の上下中間部に添加物用スクリュフィーダを連結し、飼料収容タンクの後方に設けた添加物ホッパ部に投入した添加物を添加物用スクリュフィーダで搬送しながら垂直搬送部に添加するようにしている。
【先行技術文献】
【特許文献】
【０００３】
【特許文献１】特開昭５６−５５１２７号公報
【発明の概要】
【発明が解決しようとする課題】
【０００４】
特許文献１の飼料運搬車では、添加物を垂直搬送部の上下中間部に添加するようにしているので、垂直搬送部内を満杯状態で搬送される飼料の中に無理矢理添加物を押し込む必要があり、添加物用スクリュフィーダの先端にブレークバーンを設けて飼料を掻き上げて空間をつくり、その空間に添加物を押し出すようにしている。このため、満杯状態で搬送される飼料の中でブレークバーンを駆動させる分だけ、添加物用スクリュフィーダに余分な負荷がかかる。この負荷に耐えられるように、添加物用スクリュフィーダの駆動能力を高くしなければならず、添加物を添加する装置が大型・複雑になるという問題がある。
【０００５】
本発明は、かかる点に鑑みてなされたものであり、その目的とするところは、簡単な構成でありながら、添加物の逆流及び飼料の流入を防いで確実に添加物を飼料に添加できるようにすることにある。
【課題を解決するための手段】
【０００６】
上記の目的を達成するために、この発明では、フィーダチューブの先端に添加領域形成部を形成した。
【０００７】
具体的には、第１の発明では、
飼料収容タンクと、
上記飼料収容タンクの底部に回転可能に設けられ、該飼料収容タンクの内部の飼料を後方に搬送するボトムスクリュと、
上記飼料収容タンクの後方に設けられ、上記ボトムスクリュにより搬送されてきた飼料を上方に搬送するバーティカルスクリュを内蔵する垂直搬送部とを備えた飼料運搬車であって、
上記ボトムスクリュが搬送してきた上記飼料を上記バーティカルスクリュへ送り出す合流部の手前には、上記飼料に添加する添加物を添加するスクリュフィーダ部が設けられ、
上記スクリュフィーダ部は、添加物用スクリュと、該添加物用スクリュを囲むフィーダチューブとを備え、
上記ボトムスクリュは、上記飼料収容タンクの後端から突出する突出部を有し、該突出部を囲む円筒部に上記フィーダチューブの先端が接続されており、
上記フィーダチューブの先端における上記円筒部の上流側には、該円筒部の内面から内方に突出した添加領域形成部が形成されている。
【０００８】
上記の構成によると、特許文献１のもののように添加物用スクリュの先端にブレークバーンを設けるのではなく、例えば、添加物用スクリュを囲むフィーダチューブの先端を突出させるだけで添加領域形成部を設けることができるので、飼料の流れの影響を受けにくい領域が作り出される。このため、この領域に確実に添加物を押し出すことができる。また、飼料がフィーダチューブ内に流入したり、添加物が逆流したりするのが防止される。また、添加物用スクリュに余分な負荷がかからず、駆動負荷が低減される。逆に添加領域形成部によって飼料が流入しないように押し返されるので、添加物用スクリュに加わる負荷は軽減される。なお、添加物としては、アミノ酸、ビタミン剤などの栄養剤が考えられる。簡単且つコンパクトな構成でありながら、確実に添加物を飼料に添加可能な飼料運搬車を提供できる。また垂直搬送部では、必ずしも垂直に搬送する必要はなく、多少傾斜した方向に搬送してもよい。
【０００９】
第２の発明では、第１の発明において、
上記添加物用スクリュの先端は、上記円筒部の内面から
内方に突出しており、
上記添加物用スクリュの突出高さは、上記フィーダチューブの突出高さ以下である。
【００１０】
上記の構成によると、添加物用スクリュの長さ（円筒部の内面から突出する部分の長さ）をできるだけ確保することで、確実に添加物を内部に押し込むことができる。添加物用スクリュを突出させても、添加領域形成部が飼料の流入を防ぐので、添加物用スクリュに負荷はかかりにくい。
【発明の効果】
【００１１】
以上説明したように、本発明によれば、ボトムスクリュの飼料収容タンクの後端から突出する突出部を囲む円筒部にフィーダチューブの先端を接続し、そのフィーダチューブの先端における円筒部の上流側に円筒部の内面から内方に突出した添加領域形成部を形成したことにより、簡単な構成で添加物の逆流を防いで確実に添加物を飼料に添加できる。
【図面の簡単な説明】
【００１２】
【図１Ａ】本発明の実施形態に係るスクリュフィーダ部及びその周辺を破断して示す平面図である。
【図１Ｂ】本発明の実施形態に係るスクリュフィーダ部及びその周辺を破断して示す斜視図である。
【図２】飼料運搬車を示す側面図である。
【図３】飼料運搬車を示す平面図である。
【図４】飼料運搬車を示す背面図である。
【図５Ａ】飼料運搬車の後部を示す斜視図である。
【図５Ｂ】飼料運搬車の後部を他方から示す斜視図である。
【図６Ａ】添加領域形成部及びその周辺を上方から見た拡大断面図である。
【図６Ｂ】添加領域形成部及びその周辺を側方から見た拡大断面図である。
【発明を実施するための形態】
【００１３】
以下、本発明の実施形態を図面に基づいて説明する。
【００１４】
図２〜図４は本発明の実施形態の飼料運搬車１を示し、この飼料運搬車１は、走行可能な車台２と運転室３とを有し、この車台２には、サブフレーム４を介し、飼料収容タンク５が搭載されている。
【００１５】
飼料収容タンク５は、前後方向に長く、例えば、内部が前後で４つの内部空間５ａ（図１Ｂ参照）に分割されており、そのそれぞれの内部空間５ａに合わせて開閉可能な投入口カバー６が設けられている。各領域には、例えば木の実、麦、牧草、トウモロコシ、マイロなどを混合した飼料が収容されている。
【００１６】
飼料収容タンク５の底部には、ボトムスクリュ７が前後に延びる状態で回転可能に設けられており、区切られた内部空間５ａの飼料を選択して後方へ搬送することができるようになっている。詳しくは図示しないが、このボトムスクリュ７は、電動モータ、油圧モータ等の駆動手段により所定の速度で回転させられ、内部空間５ａに貯留された飼料を撹拌しながら後方に搬送するようになっている。すなわち、ボトムスクリュ７は、螺旋状に延びる螺旋羽根７ａを有しており、一方向に回せば飼料が後方に搬送されるようになっている。
【００１７】
そして、飼料収容タンク５の後方には、垂直搬送部１０が略垂直に延びるように設けられており、この垂直搬送部１０の内部には、ボトムスクリュ７により搬送されてきた飼料を上方に搬送するバーティカルスクリュ１１（図１Ａ参照）が内蔵されている。垂直搬送部１０の旋回ベアリング部１２から上側は、旋回ハンドル１２ａを操作することで、旋回可能となっている。なお、旋回ベアリング部１２を電動又は油圧により旋回できるようにしてもよい。
【００１８】
そして、垂直搬送部１０の上部には、内部にディスチャージスクリュ（図示せず）を内蔵するディスチャージ部１３が上下方向に回動可能に接続されている。例えば、ディスチャージスクリュは、油圧モータ又は電動モータで回転され、ディスチャージ部１３は、油圧シリンダ１３ａで起伏されるようになっている。ディスチャージスクリュにより、バーティカルスクリュ１１により搬送されてきた飼料がディスチャージ部１３の先端にまで搬送され、例えば、酪農家が所有するサイロなどの投入口へ移し替えできる。
【００１９】
図１Ａに示すように、飼料収容タンク５の後部には、ボトムスクリュ７の後部が飼料収容タンク５の後面から後方に突出して突出部１４を形成している。この突出部１４の垂直搬送部１０と連結する部分には、突出部１４から水平方向に膨出した合流部１５が設けられている。この合流部１５において、ボトムスクリュ７が搬送してきた飼料がバーティカルスクリュ１１側へ送り出されるようになっている。図６Ａ及び図６Ｂに示すように、この合流部１５の手前の突出部１４を囲む円筒部１４ａには、飼料に添加する添加物を添加するスクリュフィーダ部２０の先端が接続されている。円筒部１４ａは、例えばフランジ付きの丸鋼管で構成されている。スクリュフィーダ部２０は、添加物用スクリュ２０ａと、この添加物用スクリュ２０ａを囲む円筒状のフィーダチューブ２０ｂとを備える。フィーダチューブ２０ｂも例えば丸鋼管で構成すればよく、その外径は、円筒部１４ａの外径に比べて格段に小さい。なお、合流部１５内の飼料は、例えば、矩形状の連結孔１５ａ（図６Ｂ参照）を通って垂直円筒部１０ａ側に流れ込むようになっている。
【００２０】
一方、図１Ｂ及び図５Ｂに示すように、スクリュフィーダ部２０の基端側には、添加物を投入する添加物ホッパ部２１が設けられている。また、スクリュフィーダ部２０に内蔵された添加物用スクリュ２０ａを回転させる添加物用モータ２２が設けられている。この添加物用モータ２２は、例えば、添加物用スクリュ２０ａの基端に直結された電動モータであり、飼料運搬車１から電力が供給されるようになっている。このように、添加物用スクリュ２０ａに添加物用モータ２２を直結にすることで、特許文献１のようにチェーン、スプロケットなどの部品が必要なくなり、全体のスペース、特に高さ方向のスペースが小さくて済む。よって、添加物ホッパ部２１の投入口２１ａを低い位置に設けることができ、投入口２１ａへ添加物を投入する作業が行いやすくなる。なお、添加物ホッパ部２１の上部は、安全のためにメッシュ部２１ｂで覆われていてもよい。
【００２１】
なお、図５Ａ及び図５Ｂに示すように、飼料収容タンク５の後方には手動レバー２３が前後に並んで設けられている。この手動レバー２３は、各内部空間５ａの下部に設けられたシャッタ（図示せず）を開閉するためのもので、この手動レバー２３で各シャッタの開き具合を調整することで、ボトムスクリュ７へ流れ込む飼料の量を調整できるようになっている。
【００２２】
そして、図６Ａ及び図６Ｂに示すように、突出部１４を囲む円筒部１４ａにフィーダチューブ２０ｂの先端が接続されている。このフィーダチューブ２０ｂの先端における円筒部１４ａの上流側には、円筒部１４ａの内面から内方に突出した添加領域形成部２０ｃが形成されている。添加領域形成部２０ｃは、図６Ｂに示すように、少なくとも白抜き矢印の方向に流れ込んでくる飼料を防げればよい。このため、添加領域形成部２０ｃは、例えばクロスハッチングで示した領域において突出しており、例えば、鋼管の先端に切欠２０ｄを切り欠くことで形成される。添加領域形成部２０ｃは、ボトムスクリュ７の螺旋羽根７ａに接触せず、且つ添加物の外径よりも大きな高さ分だけ円筒部１４ａの内面から突出している。また、図６Ａに示すように、添加物用スクリュ２０ａの先端の円筒部１４ａの内面からの高さＨ１は、添加領域形成部２０ｃの高さＨとほぼ同等だけ突出している。
【００２３】
上記添加領域形成部２０ｃが設けられるハッチング領域は、例えば、次のように決定される。図６Ｂに示すように、飼料の安息角αを３５°とすれば、安息角αの接線と、飼料の流れ込んでくる流入角度βとで囲まれたハッチングで示す領域γにおいて、添加物が流入できるスペースが確保される。流入角度（搬送角度）βは、螺旋羽根７ａの角度及び飼料の性状（物性）によって変わる。
【００２４】
次に、本実施形態に係る飼料運搬車１の作動について説明する。
【００２５】
まず、港、飼料工場などにおいて、投入口カバー６を開けて飼料収容タンク５内のそれぞれの領域に例えば木の実、麦、牧草、トウモロコシ、マイロなどを混合した飼料を投入する。
【００２６】
次いで、酪農家等のサイロの近くに移動し、各サイロに対応する飼料を供給する。具体的には、手動レバー２３を操作して、供給する飼料が収容された内部空間５ａに対応するシャッタを開いて、ボトムスクリュ７側へ飼料を流下させる。
【００２７】
次いで、ボトムスクリュ７の回転により、この飼料を飼料収容タンク５の後部へ搬送する。
【００２８】
次いで、飼料が突出部１４に到達するのに合わせてスクリュフィーダ部２０の添加物用モータ２２を駆動し、添加物ホッパ部２１内の添加物を飼料に混ぜ込む。添加物としては、例えばアミノ酸、ビタミン剤など予め畜産農家で用意された栄養剤が飼料に混ぜ合わされたものが用いられ、これが添加物ホッパ部２１に投入された状態で添加物用モータ２２を駆動させる。
【００２９】
このとき、図６Ａ及び図６Ｂに示すように、ボトムスクリュ７の螺旋羽根７ａにより、飼料が白抜き矢印の方向に侵入してくるが、添加領域形成部２０ｃにより、領域γにおいて添加物が流入できるスペースが確保されており、フィーダチューブ２０ｂ内を進んできた添加物は飼料に押されて逆流することなく、確実に押し出される。
【００３０】
そして、添加物が飼料に混ぜ込まれながら、バーティカルスクリュ１１によって飼料が垂直搬送部１０内を上昇する。
【００３１】
次いで、ディスチャージ部１３内でも飼料と添加物とが十分に混ぜられながら、先端に到達し、酪農家のサイロ等に供給される。
【００３２】
このように、本実施形態によれば、特許文献１のもののように添加物用スクリュ２０ａの先端にブレークバーンを設けるのではなく、添加物用スクリュ２０ａを囲むフィーダチューブ２０ｂの先端を突出させるだけであるので、添加物用スクリュ２０ａに余分な負荷がかからず、逆に添加領域形成部２０ｃが飼料が流入しないように押し返すので、添加物用スクリュ２０ａに加わる負荷は軽減される。
【００３３】
また、添加領域形成部２０ｃの高さを適切に確保することにより、ボトムスクリュ７の動きを阻害せずにスクリュフィーダ部２０への添加物の逆流を防ぐことができる。一般に、添加領域形成部２０ｃ（壁）の正面に、流れを持った物体である飼料が当たった場合、飼料の外径の大小に関わらず、壁を突き破るか、横方向の力による回り込みが発生しない限りは、壁により飼料の進路は変更される。ここで、飼料に流入させたい添加物の外径が添加領域形成部２０ｃの高さよりも大きい場合には、添加物は飼料に接触しないと流れに入ることができないので、スムーズ且つ確実に流入させることが難しい。これに対して上記実施形態では、添加領域形成部２０ｃの高さが添加物の外径よりも大きいので、添加物は飼料に接触することなくスムーズ且つ確実に飼料の流れに入ることができる。
【００３４】
さらに、添加物用スクリュ２０ａの長さを添加領域形成部２０ｃの突出量だけ確保することで、確実に添加物をボトムスクリュ７側に押し込むことができる。また、添加物用スクリュ２０ａを添加領域形成部２０ｃの分だけ突出させても、添加領域形成部２０ｃが飼料の流入を防ぐので、添加物用スクリュ２０ａに負荷はかかりにくい。
【００３５】
したがって、本実施形態に係る飼料運搬車１によると、ボトムスクリュ７の飼料収容タンクの後端から突出する突出部１４を囲む円筒部１４ａにフィーダチューブ２０ｂの先端を接続し、そのフィーダチューブ２０ｂの先端における円筒部１４ａの上流側に円筒部１４ａの内面よりも突出した添加領域形成部２０ｃを形成したことにより、簡単な構成で添加物の逆流を防いで確実に添加物を飼料に添加できる。
【００３６】
なお、以上の実施形態は、本質的に好ましい例示であって、本発明、その適用物や用途の範囲を制限することを意図するものではない。
【００３７】
例えば、上記実施形態では、添加領域形成部２０ｃは、フィーダチューブ２０ｂの先端を突出させることで設けたが、円筒部１４ａの内面に突起部を設けて添加領域形成部２０ｃとしてもよい。突出部は、別部品で設けてもよいし、円筒部１４ａに一体に設けてもよい。
【００３８】
また、上記実施形態では、添加領域形成部２０ｃを円筒部１４ａに設けたが、垂直搬送部１０において水平方向からスクリュフィーダ部２０を連結及び挿入してもよい。詳しくは図示しないが、その場合には、垂直搬送部１０を構成する垂直円筒部１０ａに添加領域形成部２０ｃを形成することができる。この場合でも、上記実施形態と同様に、添加領域形成部２０ｃの作用効果が得られる。
【００３９】
さらに、上記実施形態では、添加物用スクリュ２０ａの先端の円筒部１４ａの内面からの高さＨ１は、添加領域形成部２０ｃの高さＨとほぼ同等だけ突出しているようにしたが、添加領域形成部２０ｃよりも低い高さで突出させてもよい。
【００４０】
上述の添加物用モータ２２（添加物用スクリュ２０ａ）は、回転切換スイッチ（図示せず）を操作することにより回転駆動される。この回転切換スイッチは、中立（停止）位置、正回転位置及び逆回転位置につまみを操作可能なトグルスイッチにより構成される。このため、つまみを正回転位置に操作して添加物を添加している途中で、添加物の噛込み不良等が発生した場合に、つまみを逆回転位置に切換えて添加物用モータ２２を逆回転させれば、噛込み不良を解消できる。ここで、逆回転位置では、つまみが中立位置に戻るように付勢されるので、添加物用モータ２２を必要な分だけ逆回転させる操作がしやすい。
【符号の説明】
【００４１】
１      飼料運搬車
２      車台
３      運転室
４      サブフレーム
５      飼料収容タンク
５ａ    内部空間
６      投入口カバー
７      ボトムスクリュ
７ａ    螺旋羽根
１０      垂直搬送部
１０ａ    垂直円筒部
１１      バーティカルスクリュ
１２      旋回ベアリング部
１２ａ    旋回ハンドル
１３      ディスチャージ部
１３ａ    油圧シリンダ
１４      突出部
１４ａ    円筒部
１５      合流部
１５ａ    連結孔
２０      スクリュフィーダ部
２０ａ    添加物用スクリュ
２０ｂ    フィーダチューブ
２０ｃ    添加領域形成部
２０ｄ    切欠
２１      添加物ホッパ部
２１ａ    投入口
２１ｂ    メッシュ部
２２      添加物用モータ
２３      手動レバー
【図１Ａ】
2018090192.tif 000003
【図１Ｂ】
2018090192.tif 000004
【図２】
2018090192.tif 000005
【図３】
2018090192.tif 000006
【図４】
2018090192.tif 000007
【図５Ａ】
2018090192.tif 000008
【図５Ｂ】
2018090192.tif 000009
【図６Ａ】
2018090192.tif 000010
【図６Ｂ】
2018090192.tif 000011